(57)【特許請求の範囲】
【請求項１】
居室の照明環境に作用する照明設備と、前記居室の日射環境に作用する遮蔽・遮光設備と、前記居室の空調環境に作用する空調設備と、前記居室の換気環境に作用する換気設備とを制御する居住環境制御装置において、
予め設定した在室確認時間を越えて居室空間に設けたセンサがオン状態を継続した場合に在室と判定する一方、予め設定した不在確認時間を越えて前記センサがオフ状態を継続した場合に不在と判定する在・不在判定手段と、
居室内及び居室外の環境状態を取得する環境状態取得手段と、
前記在・不在判定手段が在室と判定した場合に前記環境状態および予め定めた在室時制御にしたがって前記照明設備、前記遮蔽・遮光設備、前記空調設備および前記換気設備を制御する一方、前記在・不在判定手段が不在と判定した場合に前記環境状態および予め定めた不在時制御にしたがって前記照明設備、前記遮蔽・遮光設備、前記空調設備および前記換気設備を制御する制御手段と
を備え、
前記制御手段は、
天気予報に含まれる最高気温が予め設定した温度以上である場合に冷房期と判定する冷房期判定手段と、
計測した日射量が予め設定した日射量以上である場合に日中と判定する日中判定手段と
を備え、
前記冷房期判定手段が冷房期であると判定するとともに前記日中判定手段が日中であると判定した場合に、前記遮蔽・遮光設備を制御して、日射を遮蔽または遮光することを特徴とする居住環境制御装置。
【発明の詳細な説明】
【技術分野】
【０００１】
本発明は、住宅またはオフィスの居住環境を制御する居住環境制御装置に関する。
【背景技術】
【０００２】
エアコンや床暖房などの暖房設備を生活スタイルと運転モードとにより適切に制御する制御装置が提案されている。この制御装置は、床座生活、椅子座生活などの生活スタイルの選択、快適温熱モード、省エネモード、倹約モードなどの運転モードの選択が可能であり、選択された生活スタイル、運転モードによって暖房設備の制御指標となる温度特性が決定する。温度特性は、床表面温度と室温との関係であり、制御装置は、床表面温度に対する室温（温度特性により求めた室温）よりも計測した室温が低い場合には暖房設備の設定温度を高くする（たとえば、特許文献１参照）。
【０００３】
また、照明器具などの照明設備とブラインドなどの遮光設備とを適切に制御する制御装置が提案されている。この制御装置は、空調設備、照明設備から排出される二酸化炭素の排出量が少なくなるように、昼夜の別、就業未就業の別、在不在の別、冷房期暖房期の別、などの環境に応じて、遮光設備を制御する（たとえば、特許文献２参照）。
【０００４】
また、照明器具などの照明設備を適切に制御する制御装置が提案されている。この制御装置は、エネルギーの消費を抑制し省エネルギーに資することを目的としている。制御装置は、照明設備ごとに設けられ、照明設備が属するグループの人感センサが人間を検出した場合にグループに属する照明設備が予め定められた時間だけ点灯し、その時間内に新たに人感センサが人間を検出しない場合にグループに属する全ての照明設備を消灯させることにしている（たとえば、特許文献３参照）。
【先行技術文献】
【特許文献】
【０００５】
【特許文献１】特開２００６−１７７６４６号公報
【特許文献２】特開２００８−２６９８３１号公報
【特許文献３】特開２０１０−５００６９号公報
【発明の概要】
【発明が解決しようとする課題】
【０００６】
ところで、照明環境と温度環境とは密接な関係があり、たとえば、遮光設備を操作することにより遮光した場合には、温度環境に影響を及ぼすことが広く知られている。
【０００７】
しかしながら、特許文献１〜３に記載された発明は、総合的に判断した場合に省エネルギーとなるように、照明設備、遮光設備などの照明環境設備と、空調設備、換気設備などの温度環境設備とを制御するものではない。
【０００８】
本発明は、上記に鑑みてなされたものであって、総合的に判断した場合に省エネルギーとなるように居住環境を制御する居住環境制御装置を提供することを目的とする。
【課題を解決するための手段】
【０００９】
上述した課題を解決し、目的を達成するために、本発明は、居室の照明環境に作用する照明設備と、前記居室の日射環境に作用する遮蔽・遮光設備と、前記居室の空調環境に作用する空調設備と、前記居室の換気環境に作用する換気設備とを制御する居住環境制御装置において、予め設定した在室確認時間を越えて居室空間に設けたセンサがオン状態を継続した場合に在室と判定する一方、予め設定した不在確認時間を越えて前記センサがオフ状態を継続した場合に不在と判定する在・不在判定手段と、居室内及び居室外の環境状態を取得する環境状態取得手段と、前記在・不在判定手段が在室と判定した場合に前記環境状態および予め定めた在室時制御にしたがって前記照明設備、前記遮蔽・遮光設備、前記空調設備および前記換気設備を制御する一方、前記在・不在判定手段が不在と判定した場合に前記環境状態および予め定めた不在時制御にしたがって前記照明設備、前記遮蔽・遮光設備、前記空調設備および前記換気設備を制御する制御手段とを備え、前記制御手段は、天気予報に含まれる最高気温が予め設定した温度以上である場合に冷房期と判定する冷房期判定手段と、計測した日射量が予め設定した日射量以上である場合に日中と判定する日中判定手段とを備え、前記冷房期判定手段が冷房期であると判定するとともに前記日中判定手段が日中であると判定した場合に、前記遮蔽・遮光設備を制御して、日射を遮蔽または遮光することを特徴とする。
【発明の効果】
【００１２】
また、本発明にかかる居住環境制御装置は、冷房期であると判定するとともに日中であると判定した場合に、遮蔽・遮光設備を制御して、日射を遮蔽または遮光するので、季節（冷房期）と日射量とが連動して制御され、総合的に判断した場合に省エネルギーとなる居住環境を提供できる。
【図面の簡単な説明】
【００１３】
【図１】図１は、本発明の実施の形態１である居住環境制御装置を適用する居住環境を示す概念図である。
【図２】図２は、本発明の実施の形態１である居住環境制御装置と居住環境制御装置が制御する設備との関係を示すブロック図である。
【図３】図３は、本発明の実施の形態１である居住環境制御装置の制御手順を示すフローチャートである。
【図４】図４は、図３に示した在・不在判定の内容を示すフローチャートである。
【図５】図５は、図３に示した在室時制御におけるブラインド・シャッター制御の内容を示すフローチャートである。
【図６】図６は、図３に示した在室時制御におけるエアコン・天窓・地窓制御の内容を示すフローチャートである。
【図７】図７は、図３に示した不在時制御におけるブラインド・シャッター制御の内容を示すフローチャートである。
【図８】図８は、図３に示した不在時制御における天窓・地窓制御の内容を示すフローチャートである。
【図９】図９は、本発明の実施の形態２である居住環境制御装置が制御する居住環境を示す概念図である。
【図１０】図１０は、本発明の実施の形態２である居住環境制御装置が制御する設備との関係を示すブロック図である。
【図１１】図１１は、本発明の実施の形態２である居住環境制御装置の制御手順を示すフローチャートである。
【図１２】図１２は、図１１に示した在・不在判定の内容を示すフローチャートである。
【図１３】図１３は、図１１に示した在室時制御におけるブラインド制御の内容を示すフローチャートである。
【図１４】図１４は、図１１に示した在室時制御における外調機・熱源制御の内容を示すフローチャートである。
【図１５】図１５は、図１１に示した不在時制御におけるブラインド制御の内容を示すフローチャートである。
【図１６】図１６は、図１１に示した不在時制御における外調機制御の内容を示すフローチャートである。
【図１７】図１７は、本発明の実施の形態３である居住環境制御装置が制御する居住環境を示す概念図である。
【図１８】図１８は、本発明の実施の形態３である居住環境制御装置が制御する設備との関係を示すブロック図である。
【図１９】図１９は、本発明の実施の形態３である居住環境制御装置の制御手順を示すフローチャートである。
【図２０】図２０は、図１９に示した在・不在判定の内容を示すフローチャートである。
【図２１】図２１は、図１９に示した在室時制御におけるブラインド・シャッター制御の内容を示すフローチャートである。
【図２２】図２２は、図１９に示した在室時制御におけるエアコン・換気扇・吸気口制御の内容を示すフローチャートである。
【図２３】図２３は、図１９に示した不在時制御におけるブラインド・シャッター制御の内容を示すフローチャートである。
【図２４】図２４は、図１９に示した不在時制御における換気扇・吸気口制御の内容を示すフローチャートである。
【発明を実施するための形態】
【００１４】
以下に、本発明にかかる居住環境制御装置の実施の形態を図面に基づいて詳細に説明する。なお、この実施の形態によりこの発明が限定されるものではない。
【００１５】
（実施の形態１）
図１は、本発明の実施の形態１である居住環境制御装置が制御する居住環境を示す概念図であり、図２は、本発明の実施の形態１である居住環境制御装置と居住環境制御装置が制御する設備との関係を示すブロック図である。ここでは、戸建て住宅の居住環境を例に説明するが、戸建て住宅に限られるものではなく、オフィス、集合住宅などの居住環境にも適用可能である。
【００１６】
図１に示すように、本実施の形態１で説明する戸建て住宅は、天窓１１、地窓１２などの換気設備１と、照明器具２１などの照明設備２と、シャッター３１、ブラインド３２などの遮蔽・遮光設備３と、エアコン４１などの空調設備４とを備えている。
【００１７】
天窓１１、地窓１２などの換気設備１は、図示せぬ駆動装置によって開閉可能であって、壁面に設けられた開閉スイッチ（図示せず）やリモコン（図示せず）を操作することにより開閉する。また、換気設備１には、居住環境制御装置５（図２参照）が接続してあり、居住環境制御装置５から入力された制御信号によっても開閉する。
【００１８】
照明器具２１などの照明設備２は、壁面に設けられたスイッチ（図示せず）やリモコン（図示せず）を操作することにより点灯または消灯する。また、照明設備２には、居住環境制御装置５が接続してあり、居住環境制御装置５から入力された制御信号によっても点灯または消灯する。
【００１９】
シャッター３１、ブラインド３２などの遮蔽・遮光設備３は、図示せぬ駆動装置によって開閉可能であって、壁面に設けられた開閉スイッチ（図示せず）やリモコン（図示せず）を操作することにより開閉する。また、ブラインド３２は、自動採光システムを搭載しており、運転モードを自動採光モードにすると、日射を有効に活用すべく、羽根（図示せず）の角度を制御する。また、遮蔽・遮光設備３には、居住環境制御装置５が接続してあり、居住環境制御装置５から入力された制御信号によっても開閉する。
【００２０】
エアコン４１などの空調設備４は、壁面に設けられたスイッチ（図示せず）やリモコン（図示せず）を操作することにより運転を開始または停止する。また、空調設備４には、居住環境制御装置５が接続してあり、居住環境制御装置５から入力された制御信号によっても運転を開始または停止する。
【００２１】
また、図２に示すように、戸建て住宅は、室内（居室空間）に日射センサ６１、温湿度センサ６２、人感センサ６３を備えている。日射センサ６１は、日射量を計測するためのもので、設置場所における日射量を逐次計測可能である。温湿度センサ６２は、室内の温度と湿度とを計測するためのもので、設置場所における温度と湿度とを逐次計測可能である。人感センサ６３は、人の在否を判定するためのもので、居室に人がいるか否かを逐次検出可能である。
【００２２】
これら、日射センサ６１、温湿度センサ６２、人感センサ６３は、居住環境制御装置５に接続してあり、日射センサ６１が計測した日射量、温湿度センサ６２が計測した室内の温度（室温）と湿度、人感センサ６３が検出した人の在否は、逐次、居住環境制御装置５に入力される。そして、居住環境制御装置５に入力された日射量、室内の温度と湿度、人の在否は、一定時間、居住環境制御装置５に記憶される。
【００２３】
また、戸建て住宅は、室外に温湿度センサ７２を備えている。温湿度センサ７２は、室外の温度と湿度とを計測するためのもので、設置場所における温度と湿度とを逐次計測可能である。この温湿度センサ７２は、居住環境制御装置５に接続してあり、温湿度センサ７２が計測した室外の温度（外気温）と湿度は、逐次、居住環境制御装置５に入力される。そして、居住環境制御装置５に入力された室外の温度と湿度は、一定時間、居住環境制御装置５に記憶される。
【００２４】
また、居住環境制御装置５には、ラジオ放送、テレビ放送、ネットワークに公開された情報などから天気予報を取得する天気予報取得装置９が接続してあり、居住環境制御装置５は、天気予報取得装置９から天気予報（たとえば、天気、最高気温）を取得可能である。そして、取得した天気予報は、一定時間、居住環境制御装置５に記憶される。
【００２５】
図３は、本発明の実施の形態１である居住環境制御装置の制御手順を示すフローチャートである。図４は、図３に示した在・不在判定の内容を示すフローチャートである。図５は、図３に示した在室時制御におけるブラインド・シャッター制御の内容を示すフローチャートであり、図６は、図３に示した在室時制御におけるエアコン・天窓・地窓制御の内容を示すフローチャートである。図７は、図３に示した不在時制御におけるブラインド・シャッター制御の内容を示すフローチャートであり、図８は、図３に示した不在時制御における天窓・地窓制御の内容を示すフローチャートである。
【００２６】
図３に示すように、上述した居住環境制御装置５は、まず、在・不在判定を行う（ステップＳ１）。在・不在判定は、居室内に人がいるか否かを判定するもので、在室と判定した場合には在室時制御（ステップＳ２）を実行し、不在と判定した場合には、不在時制御（ステップＳ６）を実行する。
【００２７】
在・不在判定は、予め設定した在室確認時間を越えて人感センサ６３がオン状態を継続した場合に在室と判定する一方、予め設定した不在確認時間を越えて人感センサ６３がオフ状態を継続した場合に不在と判定する。
【００２８】
図４に示す例では、在室確認時間を５分、不在確認時間を１５分に設定してある。そして、図４に示すように、在・不在判定を開始すると、居住環境制御装置５は、まず、現在の人感センサ６３の状態を取得する（ステップＳ１１）。人感センサ６３がオンの場合には（ステップＳ１１：Ｙｅｓ）、さらに、過去５分間の人感センサ６３の状態を取得する（ステップＳ１２）。そして、人感センサ６３が過去５分間継続してオンの場合には、居室に在室していると判定する（ステップＳ１３）。なお、人感センサ６３がオンの場合であって、かつ、人感センサ６３が過去５分間継続してオンでない場合（ステップＳ１１：Ｙｅｓ，ステップＳ１２：Ｎｏ）には、人感センサ６３がオンの状態を５分間継続するまで判定を保留する。
【００２９】
ステップＳ１１において、人感センサ６３がオフの場合には（ステップＳ１１：Ｎｏ）、さらに、過去１５分間の人感センサ６３の状態を取得する（ステップＳ１４）。そして、人感センサ６３が過去１５分間継続してオフの場合には（ステップＳ１４：Ｙｅｓ）、不在であると判定する（ステップＳ１５）。なお、人感センサ６３がオフであって、かつ、人感センサ６３が過去１５分間継続してオフでない場合（ステップＳ１１：Ｎｏ，ステップＳ１４：Ｎｏ）には、人感センサ６３がオフの状態を１５分間継続するまで判定を保留する。
【００３０】
図５に示すように、在室時制御（ステップＳ２）を開始すると、居住環境制御装置５は、最初にブラインド・シャッター制御（ステップＳ３）を実行する。居住環境制御装置５は、まず、記憶した天気予報から最高気温を取得する。最高気温が２６°Ｃ以上の場合には冷房期と判定し（ステップＳ３１：Ｙｅｓ）、日射量を取得する。日射量が１２０Ｗ／ｍ２以上の場合（ステップＳ３２：Ｙｅｓ）には日中であると判定し、シャッター３１を閉鎖するとともにブラインド３２を全閉にする（ステップＳ３３）。
【００３１】
最高気温が２６°Ｃ以上であって日射量が１２０Ｗ／ｍ２未満の場合には（ステップＳ３１：Ｙｅｓ，ステップＳ３２：Ｎｏ）、シャッター３１を開放するとともに、ブラインド３２の運転モードを自動採光モードにする（ステップＳ３４）。
【００３２】
最高気温が２６°Ｃ未満であって日射量が１２０Ｗ／ｍ２以上の場合には（ステップＳ３１：Ｎｏ，ステップＳ３５：Ｙｅｓ）、シャッター３１を開放するとともにブラインド３２の運転モードを自動採光モードにする（ステップＳ３４）。
【００３３】
図６に示すように、居住環境制御装置５は、つぎにエアコン・天窓・地窓制御（ステップＳ４）を実行する。居住環境制御装置５は、まず、外気温を取得する。外気温が２８°Ｃ以上の場合（ステップＳ４１：Ｙｅｓ）には、室温を取得する。室温が２７°Ｃ未満の場合（ステップＳ４２：Ｙｅｓ）には、不快指数ＤＩを求める。不快指数ＤＩが７５未満の場合（ステップＳ４３：Ｙｅｓ）には、エアコン４１をオフにするとともに、天窓１１と地窓１２とを開放する（ステップＳ４４）。なお、不快指数ＤＩは、下記の数式１によって求める。
【００３４】
【数１】
0005601508.tif 000002
【００３５】
不快指数ＤＩが７５以上の場合（ステップＳ４３：Ｎｏ）には、エアコン４１をオンにするとともに天窓１１と地窓１２とを閉鎖する（ステップＳ４５）。また、室温が２７°Ｃ以上の場合（ステップＳ４２：Ｎｏ）にも、天窓１１と地窓１２とを閉鎖する（ステップＳ４５）。
【００３６】
外気温が２８°Ｃ未満であって、２０°Ｃを越える場合（ステップＳ４１：Ｎｏ，ステップＳ４６：Ｙｅｓ）には、エアコン４１をオフにする（ステップＳ４７）。そして、外気温が２３°Ｃ（管理温度）以上の場合（ステップＳ４８：Ｙｅｓ）には、室温と外気温とを比較する。室温が外気温以上の場合（ステップＳ４９：Ｙｅｓ）には、雨が降っていないこと（ステップＳ５０：Ｎｏ）を条件に天窓１１と地窓１２とを開放する（ステップＳ５１）。なお、雨が降っているかいないかは、屋外湿度によって判定可能である。
【００３７】
室温が外気温よりも低い場合（ステップＳ４９：Ｎｏ）には、天窓１１と地窓１２とを閉鎖する（ステップＳ５２）。
【００３８】
外気温が２３°Ｃ（管理温度）未満であって、室温が２３°Ｃ（管理温度）未満の場合（ステップＳ４８：Ｎｏ，ステップＳ５３：Ｙｅｓ）には、天窓１１と地窓１２とを閉鎖する（ステップＳ５４）。室温が２３°Ｃ（管理温度）以上の場合（ステップＳ５３：Ｎｏ）には、雨が降っていないこと（ステップＳ５０：ＮＯ）を条件に天窓１１と地窓１２とを開放する（ステップＳ５１）。なお、雨が降っている場合（ステップＳ５０：Ｙｅｓ）には、天窓１１と地窓１２とを閉鎖する（ステップＳ５４）。
【００３９】
また、外気温が２０°以下の場合（ステップＳ４６：Ｎｏ）にも天窓１１と地窓１２とを閉鎖する（ステップＳ５４）。
【００４０】
不在時制御（ステップＳ６）を開始すると、居住環境制御装置５は、照明器具２１とエアコン４１とをオフにする（図示せず）。
【００４１】
その後、図７に示すように、居住環境制御装置５は、ブラインド・シャッター制御（ステップＳ８）を実行する。居住環境制御装置５は、日射量を計測する。日射量が１２０Ｗ／ｍ２以上の場合（ステップＳ８１：Ｙｅｓ）には、日中であると判定する。そして、日中である場合には、記憶した天気予報から最高気温を取得する。最高気温が２６°Ｃ以上の場合（ステップＳ８２：Ｙｅｓ）には冷房期と判定し、シャッター３１を閉鎖するとともにブラインド３２を全閉にする（ステップＳ８３）。
【００４２】
最高気温が２６°Ｃ未満の場合（ステップＳ８２：Ｎｏ）には、シャッター３１を開放するとともにブラインド３２を全開にする（ステップＳ８４）。
【００４３】
図８に示すように、居住環境制御装置５は、つぎに、天窓・地窓制御（ステップＳ９）を実行する。居住環境制御装置５は、まず、室温と外気温とを計測し、室温と外気温とを比較する。室温が外気温以上の場合(ステップＳ９１：Ｙｅｓ)には、雨が降っていないこと（ステップＳ９２：ＮＯ）を条件に天窓１１と地窓１２とを開放する（ステップＳ９３）。室温が外気温以上であっても雨が降っている場合（ステップＳ９１：Ｙｅｓ，ステップＳ９２：Ｙｅｓ）には、天窓１１と地窓１２とを閉鎖する（ステップＳ９４）。
【００４４】
上述した本発明の実施の形態１である居住環境制御装置５は、冷房期であると判定するとともに日中であると判断した場合に、シャッター３１およびブラインド３２を制御して、日射を遮蔽または遮光するので、季節（冷房期）と日射量とが連動して制御され、総合的に判断した場合に省エネルギーとなる居住環境を提供できる。
【００４５】
また、居住環境制御装置５は、５分を越えて人感センサ６３がオン状態を継続した場合に在室と判定する一方、１５分を越えて人感センサ６３がオフ状態を継続した場合に不在と判定し、在室と判定した場合に予め定めた在室時制御にしたがって照明器具２１、シャッター３１およびブラインド３２、エアコン４１、並びに天窓１１および地窓１２を制御するので、照明器具２１、シャッター３１およびブラインド３２、エアコン４１、天窓１１および地窓１２が連動して制御され、総合的に判断した場合に省エネルギーとなる居住環境を提供できる。
【００４６】
（実施の形態２）
図９は、本発明の実施の形態２である居住環境制御装置が制御する居住環境を示す概念図であり、図１０は、本発明の実施の形態２である居住環境制御装置と居住環境制御装置が制御する設備との関係を示すブロック図である。ここでは、オフィスの居住環境を例に説明するが、オフィスに限られるものではなく、戸建て住宅、集合住宅などの居住環境にも適用可能である。
【００４７】
図９に示すように、本実施の形態２で説明するオフィスは、外調機１１１などの換気設備１０１と、照明器具１２１などの照明設備１０２と、ブラインド１３２などの遮蔽・遮光設備１０３と、空調機１４１、熱源１４２などの空調設備１０４とを備えている。
【００４８】
外調機１１１などの換気設備１０１は、壁面に設けられた運転スイッチ（図示せず）やリモコン（図示せず）を操作することにより運転を開始または停止する。また、換気設備１０１には、居住環境制御装置１０５（図１０参照）が接続してあり、居住環境制御装置１０５から入力された制御信号によっても運転を開始または停止する。
【００４９】
照明器具１２１などの照明設備１０２は、壁面に設けられたスイッチ（図示せず）やリモコン（図示せず）を操作することにより点灯または消灯する。また、照明設備１０２には、居住環境制御装置１０５が接続してあり、居住環境制御装置１０５から入力された制御信号によっても点灯または消灯する。
【００５０】
ブラインド１３２などの遮蔽・遮光設備１０３は、図示せぬ駆動装置によって開閉可能であって、壁面に設けられた開閉スイッチ（図示せず）やリモコン（図示せず）を操作することにより開閉する。また、ブラインド１３２は、自動採光システムを搭載しており、運転モードを自動採光モードにすると、日射を有効に活用すべく、羽根（図示せず）の角度を制御する。また、遮蔽・遮光設備１０３には、居住環境制御装置１０５が接続してあり、居住環境制御装置１０５から入力された制御信号によっても開閉する。
【００５１】
空調機１４１などの空調設備１０４は、壁面に設けられたスイッチ（図示せず）やリモコン（図示せず）を操作することにより運転を開始または停止する。また、空調機１４１、熱源１４２などの空調設備１０４には、居住環境制御装置１０５が接続してあり、居住環境制御装置１０５から入力された制御信号によっても運転を開始または停止する。
【００５２】
また、オフィスは、室内（居室空間）に日射センサ１６１、温湿度センサ１６２、人感センサ１６３、ＣＯ２センサ１６４を備えている。日射センサ１６１は、日射量を計測するためのもので、設置場所における日射量を逐次計測可能である。温湿度センサ１６２は、室内の温度と湿度とを計測するためのもので、設置場所における温度と湿度とを逐次計測可能である。人感センサ１６３は、人の在否を判定するためのもので、居室に人がいるか否かを逐次検出可能である。ＣＯ２センサ１６４は、ＣＯ２濃度を計測するためのもので、設置場所におけるＣＯ２濃度を逐次計測可能である。なお、ＣＯ２濃度は１０００ｐｐｍを法令基準値とされており、ＣＯ２濃度が１０００ｐｐｍ以上の場合には換気量が不足しているとされる。
【００５３】
これら、日射センサ１６１、温湿度センサ１６２、人感センサ１６３、ＣＯ２センサ１６４は、居住環境制御装置１０５に接続してあり、日射センサ１６１が計測した日射量、温湿度センサ１６２が計測した室内の温度（室温）と湿度、人感センサ１６３が検出した人の在否、ＣＯ２センサ１６４が計測したＣＯ２濃度は、逐次、居住環境制御装置１０５に入力される。そして、居住環境制御装置１０５に入力された日射量、室内の温度と湿度、人の在否、ＣＯ２濃度は、一定時間、居住環境制御装置１０５に記憶される。
【００５４】
また、オフィスは、室外に温湿度センサ１７２を備えている。温湿度センサ１７２は、室外の温度と湿度とを計測するためのもので、設置場所における温度と湿度とを逐次計測可能である。この温湿度センサ１７２は、居住環境制御装置１０５に接続してあり、温湿度センサ１７２が計測した室外の温度（外気温）と湿度は、逐次、居住環境制御装置１０５に入力される。そして、居住環境制御装置１０５に入力された室外の温度と湿度は、一定時間、居住環境制御装置１０５に記憶される。
【００５５】
また、居住環境制御装置１０５には、ラジオ放送、テレビ放送、ネットワークに公開された情報などから天気予報を取得する天気予報取得装置１０９が接続してあり、居住環境制御装置１０５は、天気予報取得装置１０９から天気予報（たとえば、天気、最高気温）を取得可能である。そして、取得した天気予報は、一定時間、居住環境制御装置１０５に記憶される。
【００５６】
図１１は、本発明の実施の形態２である居住環境制御装置の制御手順を示すフローチャートである。図１２は、図１１に示した在・不在判定の内容を示すフローチャートである。図１３は、図１１に示した在室時制御におけるブラインド制御の内容を示すフローチャートであり、図１４は、図１１に示した在室時制御における外調機・熱源制御の内容を示すフローチャートである。図１５は、図１１に示した不在時制御におけるブラインド制御の内容を示すフローチャートであり、図１６は、図１１に示した不在時制御における外調機制御の内容を示すフローチャートである。
【００５７】
図１１に示すように、上述した居住環境制御装置１０５は、まず、在・不在判定を行う（ステップＳ１０１）。在・不在判定は、居室内に人がいるか否かを判定するもので、在室と判定した場合には在室時制御（ステップＳ１０２）を実行し、不在と判定した場合には、不在時制御（ステップＳ１０６）を実行する。
【００５８】
在・不在判定は、予め設定した在室確認時間を越えて人感センサ１６３がオン状態を継続した場合に在室と判定する一方、予め設定した不在確認時間を越えて人感センサ１６３がオフ状態を継続した場合に不在と判定する。
【００５９】
図１２に示す例では、在室確認時間を５分、不在確認時間を１５分に設定してある。そして、図１２に示すように、在・不在判定を開始すると、居住環境制御装置１０５は、まず、現在の人感センサ１６３の状態を取得する（ステップＳ１１１）。人感センサ１６３がオンの場合には（ステップＳ１１１：Ｙｅｓ）、さらに、過去５分間の人感センサ１６３の状態を取得する（ステップＳ１１２）。そして、人感センサ１６３が過去５分間継続してオンの場合には、居室に在室していると判定する（ステップＳ１１３）。なお、人感センサ１６３がオンの場合であって、かつ、人感センサ１６３が過去５分間継続してオンでない場合（ステップＳ１１１：Ｙｅｓ，ステップＳ１１２：Ｎｏ）には、人感センサ１６３がオンの状態を５分間継続するまで判定を保留する。
【００６０】
ステップＳ１１１において、人感センサ１６３がオフの場合には（ステップＳ１１１：Ｎｏ）、さらに、過去１５分間の人感センサ１６３の状態を取得する（ステップＳ１１４）。そして、人感センサ１６３が過去１５分間継続してオフの場合には（ステップＳ１１４：Ｙｅｓ）、不在であると判定する（ステップＳ１１５）。なお、人感センサ１６３がオフであって、かつ、人感センサ１６３が過去１５分間継続してオフでない場合（ステップＳ１１１：Ｎｏ，ステップＳ１１４：Ｎｏ）には、人感センサ１６３がオフの状態を１５分間継続するまで判定を保留する。
【００６１】
図１３に示すように、在室時制御（ステップＳ１０２）を開始すると、居住環境制御装置１０５は、最初にブラインド制御（ステップＳ１０３）を実行する。居住環境制御装置１０５は、まず、記憶した天気予報から最高気温を取得する。最高気温が２６°Ｃ以上の場合には冷房期と判定し（ステップＳ１３１：Ｙｅｓ）、日射量を取得する。日射量が１２０Ｗ／ｍ２以上の場合（ステップＳ１３２：Ｙｅｓ）には日中であると判定し、ブラインド１３２を全閉にする（ステップＳ１３３）。
【００６２】
最高気温が２６°Ｃ以上であって日射量が１２０Ｗ／ｍ２未満の場合には（ステップＳ１３１：Ｙｅｓ，ステップＳ１３２：Ｎｏ）、ブラインド１３２の運転モードを自動採光モードにする（ステップＳ１３４）。
【００６３】
最高気温が２６°Ｃ未満であって日射量が１２０Ｗ／ｍ２以上の場合には（ステップＳ１３１：Ｎｏ，ステップＳ１３５：Ｙｅｓ）、ブラインド１３２の運転モードを自動採光モードにする（ステップＳ１３４）。
【００６４】
図１４に示すように、居住環境制御装置１０５は、つぎに外調機・熱源制御（ステップＳ１０４）を実行する。居住環境制御装置１０５は、まず、外気温を取得する。外気温が２８°Ｃ以上の場合（ステップＳ１４１：Ｙｅｓ）には、室温を取得する。室温が２７°Ｃ未満の場合（ステップＳ１４２：Ｙｅｓ）には、湿度を取得する。湿度が４０％以上７０％以下の場合（ステップＳ１４３：Ｙｅｓ）には、外調機１１１の運転を停止する（ステップＳ１４４）。そして、ＣＯ２濃度を取得する（ステップＳ１４５）。ＣＯ２濃度が１０００ｐｐｍ以上の場合に外調機１１１の運転を再開する（ステップＳ１４６）。
【００６５】
湿度が７０％を越える場合または４０％に満たない場合（ステップＳ１４３：Ｎｏ）には、外調機１１１の運転を開始する（ステップＳ１４７）。また、室温が２７°Ｃ以上の場合（ステップＳ１４２：Ｎｏ）にも、外調機１１１の運転を開始する（ステップＳ１４７）。なお、すでに外調機１１１の運転を開始している場合には、運転状態を継続する。
【００６６】
外気温が２８°Ｃ未満であって、２０°Ｃを越える場合（ステップＳ１４１：Ｎｏ，ステップＳ１４８：Ｙｅｓ）には、熱源１４２の運転を停止する（ステップＳ１４９）。そして、外気温が２３°Ｃ（管理温度）以上の場合（ステップＳ１５０：Ｙｅｓ）には、室温と外気温とを比較する。室温が外気温以上の場合（ステップＳ１５１：Ｙｅｓ）には、湿度を取得する。湿度が４０％以上７０％以下の場合（ステップＳ１５２：Ｙｅｓ）には、外調機１１１の運転を停止する（ステップＳ１５３）。
【００６７】
室温が外気温未満の場合（ステップＳ１５１：Ｎｏ）には、外調機１１１の運転を停止する（ステップＳ１５４）。
【００６８】
外気温が２３°Ｃ（管理温度）未満であって、室温が２３°Ｃ（管理温度）未満の場合（ステップＳ１５０：Ｎｏ，ステップＳ１５５：Ｙｅｓ）には、外調機１１１の運転を停止する（ステップＳ１５３）。室温が２３°Ｃ（管理温度）以上の場合（ステップＳ１５５：Ｎｏ）には、湿度を取得する。湿度が４０％以上７０％以下の場合（ステップＳ１５２：Ｙｅｓ）には、外調機１１１の運転を停止する（ステップＳ１５３）。
【００６９】
また、外気温が２０°以下の場合（ステップＳ１４８：Ｎｏ）にも外調機１１１の運転を停止する（ステップＳ１５３）。
【００７０】
不在時制御（ステップＳ１０６）を開始すると、居住環境制御装置１０５は、照明器具１２１と空調機１４１とをオフにする（図示せず）。
【００７１】
その後、図１５に示すように、居住環境制御装置１０５は、ブラインド制御（ステップＳ１０８）を実行する。居住環境制御装置１０５は、日射量を計測する。日射量が１２０Ｗ／ｍ２以上の場合（ステップＳ１８１：Ｙｅｓ）には、日中であると判定する。そして、日中である場合には、記憶した天気予報から最高気温を取得する。最高気温が２６°Ｃ以上の場合（ステップＳ１８２：Ｙｅｓ）には冷房期と判定し、ブラインド１３２を全閉にする（ステップＳ１８３）。
【００７２】
最高気温が２６°Ｃ未満の場合（ステップＳ１８２：Ｎｏ）には、ブラインド１３２を全開にする（ステップＳ１８４）。
【００７３】
一方、日射量が１２０Ｗ／ｍ２未満の場合（ステップＳ１８１：Ｎｏ）には、日中でないと判定する。そして、日中でない場合には、記憶した天気予報から最高気温を取得する。最高気温が２６°Ｃ以上の場合には冷房期と判定し、ブラインド１３２を全開にする（ステップＳ１８６）。
【００７４】
最高気温が２６°Ｃ未満の場合（ステップＳ１８５：Ｎｏ）には、ブラインド１３２を全閉にする（ステップＳ１８７）。
【００７５】
図１６に示すように、居住環境制御装置１０５は、つぎに、外調機制御（ステップＳ１０９）を実行する。居住環境制御装置１０５は、まず、室温と外気温とを計測し、室温と外気温とを比較する。室温が外気温以上の場合(ステップＳ１９１：Ｙｅｓ)には、外調機１１１の運転を開始する（ステップＳ１９２）。なお、すでに外調機１１１が運転を開始している場合には運転を継続する。そして、湿度が４０％以上７０％以下でない場合（Ｓ１９３：Ｎｏ）には、外調機の運転を停止する（ステップＳ１９４）。
【００７６】
一方、室温が外気温よりも低い場合（ステップＳ１９１：Ｎｏ）には、外調機の運転を停止する（ステップＳ１９５）。そして、ＣＯ２濃度を取得する（ステップＳ１９６）。ＣＯ２濃度が１０００ｐｐｍ以上の場合（ステップＳ１９６：Ｙｅｓ）には、外調機１１１の運転を再開する（ステップＳ１９７）。
【００７７】
上述した本発明の実施の形態２である居住環境制御装置１０５は、冷房期であると判定するとともに日中であると判断した場合に、ブラインド１３２を制御して、日射を遮蔽または遮光するので、季節（冷房期）と日射量とが連動して制御され、総合的に判断した場合に省エネルギーとなる居住環境を提供できる。
【００７８】
また、居住環境制御装置１０５は、５分を越えて人感センサ１６３がオン状態を継続した場合に在室と判定する一方、１５分を越えて人感センサ１６３がオフ状態を継続した場合に不在と判定し、在室と判定した場合に予め定めた在室時制御にしたがって照明器具１２１、ブラインド１３２、空調機１４１、並びに熱源１４２を制御するので、照明器具１２１およびブラインド１３２、空調機１４１、外調機１１１が連動して制御され、総合的に判断した場合に省エネルギーとなる居住環境を提供できる。
【００７９】
さらに、ＣＯ２濃度が法令基準値（１０００ｐｐｍ）、湿度が４０％以上７０％以下に収束しない場合には、外調機１１１を運転するので執務環境の悪化を招くことなく、省エネルギーとなる居住環境を提供できる。
【００８０】
くわえて、休日や夜間など通常執務者がいない場合でも空調設備１０１の運転を停止するのではなく、次の日の熱負荷が小さくなるように居住環境を制御できる。
【００８１】
（実施の形態３）
図１７は、本発明の実施の形態３である居住環境制御装置が制御する居住環境を示す概念図であり、図１８は、本発明の実施の形態３である居住環境制御装置と居住環境制御装置が制御する設備との関係を示すブロック図である。ここでは、集合住宅の居住環境を例に説明するが、集合住宅に限られるものではなく、戸建て住宅、オフィスなどの居住環境にも適用可能である。
【００８２】
図１７に示すように、本実施の形態３で説明する集合住宅は、換気扇２１１、吸気口２１２などの換気設備２０１と、照明器具２２１などの照明設備２０２と、シャッター２３１、ブラインド２３２などの遮蔽・遮光設備２０３、エアコン２４１などの空調設備２０４とを備えている。
【００８３】
換気扇２１１は、壁面に設けられたスイッチ（図示せず）を操作することにより、運転を開始または停止する。また、換気扇２１１には、居住環境制御装置２０５が接続してあり、居住環境制御装置２０５から入力された制御信号によっても運転を開始または停止する。
【００８４】
吸気口２１２は、壁面に設けられ、手動操作または図示せぬ駆動装置によって開閉する。また、吸気口２１２には、居住環境制御装置２０５が接続してあり、居住環境制御装置２０５から入力された制御信号によっても開閉する。
【００８５】
照明器具２２１などの照明設備２０２は、壁面に設けられたスイッチ（図示せず）やリモコン（図示せず）を操作することにより点灯または消灯する。また、照明設備２０２には、居住環境制御装置２０５が接続してあり、居住環境制御装置２０５から入力された制御信号によっても点灯または消灯する。
【００８６】
シャッター２３１、ブラインド２３２などの遮蔽・遮光設備２０３は、図示せぬ駆動装置によって開閉可能であって、壁面に設けられた開閉スイッチ（図示せず）やリモコン（図示せず）を操作することにより開閉する。また、ブラインド２３２は、自動採光システムを搭載しており、運転モードを自動採光モードにすると、日射を有効に活用すべく、羽根（図示せず）の角度を制御する。また、遮蔽・遮光設備２０３には、居住環境制御装置２０５が接続してあり、居住環境制御装置２０５から入力された制御信号によっても開閉する。
【００８７】
エアコン２４１などの空調設備２０４は、壁面に設けられたスイッチ（図示せず）やリモコン（図示せず）を操作することにより運転を開始または停止する。また、空調設備２０４には、居住環境制御装置２０５が接続してあり、居住環境制御装置２０５から入力された制御信号によっても運転を開始または停止する。
【００８８】
また、集合住宅は、室内（居室空間）に日射センサ２６１、温湿度センサ２６２、人感センサ２６３、ＶＯＣセンサ２６４を備えている。日射センサ６１は、日射量を計測するためのもので、設置場所における日射量を逐次計測可能である。温湿度センサ２６２は、室内の温度と湿度とを計測するためのもので、設置場所における温度と湿度とを逐次計測可能である。人感センサ２６３は、人の在否を判定するためのもので、居室に人がいるか否かを逐次検出可能である。ＶＯＣセンサ２６４は、ＶＯＣの濃度を計測するためのもので、設置場所におけるＶＯＣ濃度を逐次計測可能である。
【００８９】
なお、ＶＯＣとは、常温で揮発する有機化合物のことで、代表的にものとして、ホルムアルデヒド、クロルピリホス、トルエン、キシレン、ベンゼン、スチレンなどがある。これらの揮発性有機化合物は、建材や家具の塗料、接着剤、樹脂として、また、殺虫剤、防蟻剤として現在広く利用されている。また、これらの揮発性有機化合物は、空気中に含まれる濃度が一定以上になるとごく微量であっても、臭気、目、鼻、喉への刺激、めまい、頭痛などを引き起こす。また、化学性物質過敏症の原因になるとも考えられている。さらに、高濃度になると、発がん性を有するとされる。シックハウス症候群の主要な原因物質である。
【００９０】
これら、日射センサ２６１、温湿度センサ２６２、人感センサ２６３、ＶＯＣセンサ２６４は、居住環境制御装置２０５に接続してあり、日射センサ２６１が計測した日射量、温湿度センサ２６２が計測した室内の温度（室温）と湿度、人感センサ２６３が検出した人の在否、ＶＯＣセンサ２６４が計測したＶＯＣ濃度は、逐次、居住環境制御装置２０５に入力される。そして、居住環境制御装置２０５に入力された日射量、室内の温度と湿度、人の在否、ＶＯＣ濃度は、一定時間、居住環境制御装置２０５に記憶される。
【００９１】
また、集合住宅は、室外に温湿度センサ２７２を備えている。温湿度センサ２７２は、室外の温度と湿度とを計測するためのもので、設置場所における温度と湿度とを逐次計測可能である。この温湿度センサ２７２は、居住環境制御装置２０５に接続してあり、温湿度センサ２７２が計測した室外の温度（外気温）と湿度は、逐次、居住環境制御装置２０５に入力される。そして、居住環境制御装置２０５に入力された室外の温度と湿度は、一定時間、居住環境制御装置２０５に記憶される。
【００９２】
また、居住環境制御装置２０５には、ラジオ放送、テレビ放送、ネットワークに公開された情報などから天気予報を取得する天気予報取得装置２０９が接続してあり、居住環境制御装置２０５は、天気予報取得装置２０９から天気予報（たとえば、天気、最高気温）を取得可能である。そして、取得した天気予報は、一定時間、居住環境制御装置２０５に記憶される。
【００９３】
図１９は、本発明の実施の形態３である居住環境制御装置の制御手順を示すフローチャートである。図２０は、図１９に示した在・不在判定の内容を示すフローチャートである。図２１は、図１９に示した在室時制御におけるブラインド・シャッター制御の内容を示すフローチャートであり、図２２は、図１９に示した在室時制御におけるエアコン・換気扇・吸気口制御の内容を示すフローチャートである。図２３は、図１９に示した不在時制御におけるブラインド・シャッター制御の内容を示すフローチャートであり、図２４は、図１９に示した不在時制御における換気扇・吸気口制御の内容を示すフローチャートである。
【００９４】
図１９に示すように、上述した居住環境制御装置２０５は、まず、在・不在判定を行う（ステップＳ２０１）。在・不在判定は、居室内に人がいるか否かを判定するもので、在室と判定した場合には在室時制御（ステップＳ２０２）を実行し、不在と判定した場合には、不在時制御（ステップＳ２０６）を実行する。
【００９５】
在・不在判定は、予め設定した在室確認時間を越えて人感センサ２６３がオン状態を継続した場合に在室と判定する一方、予め設定した不在確認時間を越えて人感センサ２６３がオフ状態を継続した場合に不在と判定する。
【００９６】
図２０に示す例では、在室確認時間を５分、不在確認時間を１５分に設定してある。そして、図２０に示すように、在・不在判定を開始すると、居住環境制御装置２０５は、まず、現在の人感センサ２６３の状態を取得する（ステップＳ２１１）。人感センサ２６３がオンの場合には（ステップＳ２１１：Ｙｅｓ）、さらに、過去５分間の人感センサ２６３の状態を取得する（ステップＳ２１２）。そして、人感センサ２６３が過去５分間継続してオンの場合には、居室に在室していると判定する（ステップＳ２１３）。なお、人感センサ２６３がオンの場合であって、かつ、人感センサ２６３が過去５分間継続してオンでない場合（ステップＳ２１１：Ｙｅｓ，ステップＳ２１２：Ｎｏ）には、人感センサ２６３がオンの状態を５分間継続するまで判定を保留する。
【００９７】
ステップＳ２１１において、人感センサ２６３がオフの場合には（ステップＳ２１１：Ｎｏ）、さらに、過去１５分間の人感センサ２６３の状態を取得する（ステップＳ２１４）。そして、人感センサ２６３が過去１５分間継続してオフの場合には（ステップＳ２１４：Ｙｅｓ）、不在であると判定する（ステップＳ２１５）。なお、人感センサ２６３がオフであって、かつ、人感センサ２６３が過去１５分間継続してオフでない場合（ステップＳ２１１：Ｎｏ，ステップＳ２１４：Ｎｏ）には、人感センサ２６３がオフの状態を１５分間継続するまで判定を保留する。
【００９８】
図２１に示すように、在室時制御（ステップＳ２０２）を開始すると、居住環境制御装置２０５は、最初にブラインド・シャッター制御（ステップＳ２０３）を実行する。居住環境制御装置２０５は、まず、記憶した天気予報から最高気温を取得する。最高気温が２６°Ｃ以上の場合には冷房期と判定し（ステップＳ２３１：Ｙｅｓ）、日射量を取得する。日射量が１２０Ｗ／ｍ２以上の場合（ステップＳ２３２：Ｙｅｓ）には日中であると判定し、シャッター２３１を閉鎖するとともにブラインド２３２を全閉にする（ステップＳ２３３）。
【００９９】
最高気温が２６°Ｃ以上であって日射量が１２０Ｗ／ｍ２未満の場合には（ステップＳ２３１：Ｙｅｓ，ステップＳ２３２：Ｎｏ）、シャッター２３１を開放するとともに、ブラインド２３２の運転モードを自動採光モードにする（ステップＳ２３４）。
【０１００】
最高気温が２６°Ｃ未満であって日射量が１２０Ｗ／ｍ２以上の場合には（ステップＳ２３１：Ｎｏ，ステップＳ２３５：Ｙｅｓ）、シャッター２３１を開放するとともにブラインド２３２の運転モードを自動採光モードにする（ステップＳ２３４）。
【０１０１】
図２２に示すように、居住環境制御装置５は、つぎにエアコン・換気扇・吸気口制御（ステップＳ２０４）を実行する。居住環境制御装置２０５は、まず、外気温を取得する。外気温が２８°Ｃ以上の場合（ステップＳ２４１：Ｙｅｓ）には、室温を取得する。室温が２７°Ｃ未満の場合（ステップＳ２４２：Ｙｅｓ）には、不快指数ＤＩを求める。不快指数ＤＩが７５未満の場合（ステップＳ２４３：Ｙｅｓ）には、換気扇２１１をオンにするとともに、吸気口２１２を開放する（ステップＳ４４）。
【０１０２】
不快指数ＤＩが７５以上の場合（ステップＳ２４３：Ｎｏ）には、エアコン２４１をオンにする一方、換気扇２１１をオフにするとともに吸気口２１２を閉鎖する（ステップＳ２４５）。また、室温が２７°Ｃ以上の場合（ステップＳ２４２：Ｎｏ）にも、エアコン２４１をオンにする一方、換気扇２１１をオフにするとともに吸気口２１２を閉鎖する（ステップＳ２４５）。
【０１０３】
つぎに、ＶＯＣ濃度を取得する。ＶＯＣ濃度が既定値（Ｘｐｐｍ）を越える場合（ステップＳ２４６：Ｙｅｓ）には、換気扇２１１をオンにするとともに吸気口２１２を開放する（ステップＳ２４７）。
【０１０４】
なお、ＶＯＣ濃度の規定値（Ｘｐｐｍ）は、厚生労働省医薬局審査管理化学物質安全対策室が定めた濃度指針値にしたがい、物質ごとに設定している。たとえば、ホルムアルデヒドは０．０８ｐｐｍ、トルエンは０．０７ｐｐｍ、キシレンは０．２０ｐｐｍ、パラジクロロベンゼンは０．０４ｐｐｍ、エチルベンゼンは０．８８ｐｐｍ、スチレンは０．０５ｐｐｍに設定している。
【０１０５】
外気温が２８°Ｃ未満であって、２０°Ｃを越える場合（ステップＳ２４１：Ｎｏ，ステップＳ２４８：Ｙｅｓ）には、エアコン２４１をオフにする（ステップＳ２４９）。そして、外気温が２３°Ｃ（管理温度）以上の場合（ステップＳ２５０：Ｙｅｓ）には、室温と外気温とを比較する。室温が外気温以上の場合（ステップＳ２５１：Ｙｅｓ）には、雨が降っていないこと（ステップＳ２５２：Ｎｏ）を条件に換気扇２１１をオンにするとともに吸気口２１２を開放する（ステップＳ２４７）。なお、雨が降っているかいないかは、屋外湿度によって判定可能である。
【０１０６】
室温が外気温未満の場合（ステップＳ２５１：Ｎｏ）には、換気扇２１１をオフにするとともに吸気口２１２を閉鎖する（ステップＳ２５３）。
【０１０７】
外気温が２３°Ｃ（管理温度）未満であって、室温が２３°Ｃ（管理温度）未満の場合（ステップＳ２５０：Ｎｏ，ステップＳ２５４：Ｙｅｓ）には、換気扇２１１をオフにするとともに吸気口２１２を閉鎖する（ステップＳ２５５）。室温が２３°Ｃ（管理温度）以上の場合（ステップＳ２５４：Ｎｏ）には、雨が降っていないこと（ステップＳ２５２：ＮＯ）を条件に換気扇２１１をオンにするとともに吸気口２１２を開放する（ステップＳ２４７）。なお、雨が降っている場合（ステップＳ２５２：Ｙｅｓ）には、換気扇２１１をオフにするとともに吸気口２１２を閉鎖する（ステップＳ２５５）。
【０１０８】
また、外気温が２０°以下の場合（ステップＳ２４８：Ｎｏ）にも換気扇２１１をオフにするとともに吸気口２１２を閉鎖する（ステップＳ２５５）。
【０１０９】
不在時制御（ステップＳ２０６）を開始すると、居住環境制御装置５は、照明器具２１とエアコン４１とをオフにする（図示せず）。
【０１１０】
その後、図２３に示すように、居住環境制御装置２０５は、ブラインド・シャッター制御（ステップＳ２０８）を実行する。居住環境制御装置２０５は、日射量を計測する。日射量が１２０Ｗ／ｍ２以上の場合（ステップＳ２８１：Ｙｅｓ）には、日中であると判定する。そして、日中である場合には、記憶した天気予報から最高気温を取得する。最高気温が２６°Ｃ以上の場合（ステップＳ２８２：Ｙｅｓ）には冷房期と判定し、シャッター２３１を閉鎖するとともにブラインド２３２を全閉にする（ステップＳ２８３）。
【０１１１】
最高気温が２６°Ｃ未満の場合（ステップＳ２８２：Ｎｏ）には、シャッター２３１を開放するとともにブラインド２３２を全開にする（ステップＳ２８４）。
【０１１２】
図２４に示すように、居住環境制御装置２０５は、つぎに、換気扇・吸気口制御（ステップＳ２０９）を実行する。居住環境制御装置２０５は、まず、室温と外気温とを計測し、室温と外気温とを比較する。室温が外気温以上の場合(ステップＳ２９１：Ｙｅｓ)には、雨が降っていないこと（ステップＳ２９２：Ｎｏ）を条件に換気扇２１１をオンするとともに吸気口２１２を開放する（ステップＳ２９３）。室温が外気温以上であっても雨が降っている場合（ステップＳ２９１：Ｙｅｓ，ステップＳ２９２：Ｙｅｓ）には、換気扇２１１をオフするとともに吸気口を閉鎖する（ステップＳ２９４）。
【０１１３】
つぎに、ＶＯＣ濃度を取得する。ＶＯＣ濃度が既定値（Ｘｐｐｍ）を越える場合（ステップＳ２９５：Ｙｅｓ）には、換気扇をオンにするとともに吸気口２１２を開放する（ステップＳ２９３）。
【０１１４】
上述した本発明の実施の形態３である居住環境制御装置２０５は、冷房期であると判定するとともに日中であると判断した場合に、シャッター３１およびブラインド３２を制御して、日射を遮蔽または遮光するので、季節（冷房期）と日射量とが連動して制御され、総合的に判断した場合に省エネルギーとなる居住環境を提供できる。
【０１１５】
また、居住環境制御装置２０５は、５分を越えて人感センサ２６３がオン状態を継続した場合に在室と判定する一方、１５分を越えて人感センサ２６３がオフ状態を継続した場合に不在と判定し、在室と判定した場合に予め定めた在室時制御にしたがって照明器具２２１、シャッター２３１およびブラインド２３２、エアコン２４１、並びに換気扇２１１および吸気口２１２を制御するので、照明器具２２１、シャッター２３１およびブラインド２３２、エアコン２４１、換気扇２１１および吸気口２１２が連動して制御され、総合的に判断した場合に省エネルギーとなる居住環境を提供できる。
【符号の説明】
【０１１６】
１    換気設備
１１    天窓
１２    地窓
２    照明設備
２１    照明器具
３    遮蔽・遮光設備
３１    シャッター
３２    ブラインド
４    空調設備
４１    エアコン
５    居住環境制御装置
６１    日射センサ
６２    温湿度センサ
６３    人感センサ
７２    温湿度センサ
９    天気予報取得装置
１０１    換気設備
１１１    外調機
１０２    照明設備
１２１    照明器具
１０３    遮蔽・遮光設備
１３２    ブラインド
１０４    空調設備
１４１    空調機
１４２    熱源
１０５    居住環境制御装置
１６１    日射センサ
１６２    温湿度センサ
１６３    人感センサ
１６４    ＣＯ２センサ
１７２    温湿度センサ
１０９    天気予報取得装置
２０１    換気設備
２１１    換気扇
２１２    吸気口
２０２    照明設備
２２１    照明器具
２０３    遮蔽・遮光設備
２３１    シャッター
２３２    ブラインド
２０４    空調設備
２４１    エアコン
２６１    日射センサ
２６２    温湿度センサ
２６３    人感センサ
２６４    センサ
２７２    温湿度センサ
２０５    居住環境制御装置
２０９    天気予報取得装置
【図１】
0005601508.tif 000003
【図２】
0005601508.tif 000004
【図３】
0005601508.tif 000005
【図４】
0005601508.tif 000006
【図５】
0005601508.tif 000007
【図６】
0005601508.tif 000008
【図７】
0005601508.tif 000009
【図８】
0005601508.tif 000010
【図９】
0005601508.tif 000011
【図１０】
0005601508.tif 000012
【図１１】
0005601508.tif 000013
【図１２】
0005601508.tif 000014
【図１３】
0005601508.tif 000015
【図１４】
0005601508.tif 000016
【図１５】
0005601508.tif 000017
【図１６】
0005601508.tif 000018
【図１７】
0005601508.tif 000019
【図１８】
0005601508.tif 000020
【図１９】
0005601508.tif 000021
【図２０】
0005601508.tif 000022
【図２１】
0005601508.tif 000023
【図２２】
0005601508.tif 000024
【図２３】
0005601508.tif 000025
【図２４】
0005601508.tif 000026